(57)【要約】【課題】効果的に利用可能な永久磁石を備えた振動発生器および／または振動ピックアップを有しているコリオリ質量流量測定装置を提供する。【解決手段】永久磁石が、磁石ホルダ内に設けられているようにした。【選択図】図１
2008275613.tif 000002
【特許請求の範囲】
【請求項１】
コリオリ質量流量測定装置であって、励振可能な１つの測定管（１）、および／または振動発生器（２）、および／または振動ピックアップ（３）が設けられており、振動発生器（２）および／または振動ピックアップ（３）が、永久磁石（１２）を有している形式のものにおいて、永久磁石（１２）が、磁石ホルダ（１３）内に設けられていることを特徴とする、コリオリ質量流量測定装置。
【請求項２】
永久磁石（１２）が、磁石ホルダ（１３）内において形状接続式に、および／または摩擦接続式に保持されている、請求項１記載のコリオリ質量流量測定装置。
【請求項３】
磁石ホルダ（１３）が、永久磁石（１２）が、全方向で位置固定されているように形成されている、請求項１または２記載のコリオリ質量流量測定装置。
【請求項４】
磁石ホルダ（１３）が、永久磁石（１２）のための収容空間を有しており、該収容空間において永久磁石（１２）が、係止部によって保持されている、請求項１から３までのいずれか一項記載のコリオリ質量流量測定装置。
【請求項５】
磁石ホルダ（１３）が、フレキシブルな壁（１４）を有している、請求項４記載のコリオリ質量流量測定装置。
【請求項６】
磁石ホルダ（１３）が、実質的に中空円柱体として構成されており、該中空円柱体内に永久磁石（１２）が挿入されている、請求項１から５までのいずれか一項記載のコリオリ質量流量測定装置。
【請求項７】
磁石ホルダ（１３）が、プラスチックから成っている、請求項１から６までのいずれか一項記載のコリオリ質量流量測定装置。
【請求項８】
振動発生器（２）および／または振動ピックアップ（３）が、保持装置（１９）を有しており、該保持装置（１９）に磁石ホルダ（１３）が、プレス接合によって接合されている、請求項７記載のコリオリ質量流量測定装置。
【請求項９】
コリオリ質量流量測定装置であって、励振可能な正確に２つの測定管（１）とケーシング（４）とが設けられており、前記測定管（１）の端部に、１つの管から２つの測定管（１）への移行部材（５）がそれぞれ設けられている形式のものにおいて、前記移行部材（５）が、前記ケーシング（４）とは別の補強ブリッジ（９）によって互いに結合されていることを特徴とする、コリオリ質量流量測定装置。
【請求項１０】
前記測定管（１）が、補強ブリッジ（９）の完全に外側に設けられている、請求項９記載のコリオリ質量流量測定装置。
【請求項１１】
補強ブリッジ（９）が、プレート状に形成されている、請求項９または１０記載のコリオリ質量流量測定装置。
【請求項１２】
補強ブリッジ（９）が中空である、請求項９から１１までのいずれか一項記載のコリオリ質量流量測定装置。
【請求項１３】
補強ブリッジ（９）が、方形の横断面を有している、請求項９から１２までのいずれか一項記載のコリオリ質量流量測定装置。
【請求項１４】
コリオリ質量流量測定装置であって、励振可能な正確に２つの測定管（１）が設けられており、該測定管（１）の端部に、１つの管から２つの測定管（１）への移行部材（５）と、導管路システムへの接続のための接続部材とがそれぞれ設けられている形式のものにおいて、移行部材と接続部材とが、それぞれ唯一の共通のワークピースから製造されていることを特徴とする、コリオリ質量流量測定装置。
【請求項１５】
コリオリ質量流量測定装置であって、励振可能な１つの測定管と、該測定管を取り囲むケーシングと、電子的な測定変換器とが設けられている形式のものにおいて、電子的な測定変換器（１０）が、ケーシング（４）の完全に内側に設けられていることを特徴とする、コリオリ質量流量測定装置。
【請求項１６】
コリオリ質量流量測定装置であって、２つの測定管（１）が設けられており、該測定管（１）の一方の端部に互いに隣り合った２つの振動結節プレート（７，８）が設けられており、該振動結節プレート（７，８）が、２つの測定管（１）を互いに結合している形式のものにおいて、２つの振動結節プレート（７，８）の平面の間の角度が、測定管（１）の変位が、予め規定された励振力に基づき最小であるように規定されていることを特徴とする、コリオリ質量流量測定装置。
【請求項１７】
前記測定管（１）の変位が、予め規定された空間方向で最小である、請求項１６記載のコリオリ質量流量測定装置。
【請求項１８】
前記測定管（１）の変位の関数が、互いに異なる少なくとも２つの空間方向で最小である、請求項１６または１７記載のコリオリ質量流量測定装置。
【請求項１９】
２つの測定管（１）を有するコリオリ質量流量測定装置のための製造方法であって、前記測定管（１）の一方の端部に互いに隣り合った２つの振動結節プレート（７，８）が設けられており、該振動結節プレート（７，８）が、２つの測定管（１）を互いに結合する方法において、２つの振動結節プレート（７，８）の平面の間の角度を、前記測定管（１）の変位が、予め規定された励振力に基づき最小であるように決定することを特徴とする、コリオリ質量流量測定装置のための製造方法。
【請求項２０】
前記測定管（１）の変位が、予め規定された空間方向で最小である、請求項１９記載の製造方法。
【請求項２１】
前記測定管（１）の変位の関数が、互いに異なる少なくとも２つの空間方向で最小である、請求項１９または２０記載の製造方法。
【請求項２２】
前記測定管（１）の変位を、好ましくは有限要素法によって算出する、請求項１９から２１までのいずれか一項記載の製造方法。
【発明の詳細な説明】
【技術分野】
【０００１】
本発明は、コリオリ質量流量測定装置であって、励振可能な１つの測定管、および／または振動発生器、および／または振動ピックアップが設けられており、振動発生器および／または振動ピックアップが、永久磁石を有している形式のものに関する。
【背景技術】
【０００２】
コリオリ原理に基づき働く質量流量測定装置は、一般的に、測定管を励振させる少なくとも１つの振動発生器と、測定管の達成された振動を検知する２つの振動ピックアップとを有している。この場合、質量流量の決定は、たとえば２つの振動ピックアップによってそれぞれ検知された振動の間の位相のずれを介して決定可能である。
【０００３】
振動発生器と振動ピックアップとは、一般的に、電気的な経路において振動を測定管に伝達するか、もしくは測定管の振動を検知するために永久磁石と磁石コイルとを有している。振動発生器もしくは振動ピックアップに永久磁石を取り付けるために、振動発生器もしくは振動ピックアップには一般的に孔が設けられていて、その結果、永久磁石は、孔を貫通案内されたねじによって位置固定することができる。しかしこの種の取付けねじにより、磁界にはネガティブな影響が及ぼされてしまう。その他の点では、永久磁石はこうして、搬送時または組付け時の衝撃またはといった機械的な外部の影響に、実際には無防備でさらされるので、コリオリ質量流量測定装置の損壊を免れることはできない。
【特許文献１】ＵＳ２００４／００４５３６９Ａ１
【特許文献２】ＵＳ６３０８５８０Ｂ１
【発明の開示】
【発明が解決しようとする課題】
【０００４】
従って、本発明の第１の課題は、冒頭で述べたコリオリ質量流量測定装置を改良して、効果的に利用可能な永久磁石を備えた振動発生器および／または振動ピックアップを有しているコリオリ質量流量測定装置を提供することである。
【課題を解決するための手段】
【０００５】
上記第１の課題を解決するために本発明の構成では、永久磁石が、磁石ホルダ内に設けられているようにした。
【発明の効果】
【０００６】
本発明によれば、永久磁石をその保持のために設けられた装置、すなわち磁石ホルダ内に挿入することが提案されている。従って、本発明によれば永久磁石は少なくとも部分的に磁石ホルダによって取り囲まれていて、このことは衝撃といった外部の影響に対しての防護である。さらに、永久磁石の位置固定は、永久磁石を少なくとも部分的に囲む磁石ホルダにより実現されるので、永久磁石には取付けねじを貫通案内するための孔を備え付ける必要はない。
【０００７】
基本的に、永久磁石は磁石ホルダ内において種々異なる形式で、たとえば接着により位置固定されていてよい。しかし本発明の有利な改良形によれば、永久磁石は磁石ホルダ内に形状接続的におよび／または摩擦接続的に（つまり力が伝達されるように）接続されて保持されている。このことにより組付けが容易になる。なぜならばこれによって永久磁石を取り付けるための別の手段は必要ないからである。
【０００８】
本発明の有利な別の改良形によれば、永久磁石が全方向で位置固定されているように磁石ホルダは構成されている。これに加えて、本発明のさらに有利なさらに別の改良形によれば、特に、磁石ホルダは永久磁石のための収容空間を有していることを提案することができる。この場合、永久磁石はこの収容空間内で、有利には係止部によって保持されている。こうして、永久磁石の組込みは特に全く簡単である。なぜならば永久磁石は容易に磁石ホルダ内に押し込まれる、すなわち前記係止部に達する程度に押し込まれ、その結果、永久磁石は磁石ホルダ内で保持されているからである。
【０００９】
この関係において、本発明の有利なさらに別の改良形によれば、特に、磁石ホルダが、少なくとも１つのフレキシブルな壁、有利には複数のフレキシブルな壁を有していることが提案されている。こうして組込みはさらに容易になる。なぜならばフレキシブルな壁は、永久磁石の押込み時にずれることができ、その結果、永久磁石を位置固定するためには僅かな力しか必要でないからである。フレキシブルな壁には、有利には係止装置も設けられている。
【００１０】
基本的に磁石ホルダは種々異なる幾何学的な形状を有することができる。しかし本発明の有利なさらに別の改良形によれば、磁石ホルダは実質的に中空円柱体として形成されていて、この中空円柱体内に永久磁石が挿入されていることが提案されている。この場合、本発明の有利なさらに別の構成によれば、永久磁石は円柱形であり、つまり永久磁石を嵌合座部によって磁石ホルダの内側に配置できるような寸法を備えていることが提案されている。
【００１１】
磁石ホルダは種々異なる材料から形成されていてよい。しかし本発明の有利なさらに別の改良形によれば、磁石ホルダはプラスチックから成っていることが提案されている。この関係において、本発明の有利なさらに別の改良形によれば、振動発生器および／または振動ピックアップは保持装置を有している。この保持装置に磁石ホルダはプレス接合によって結合されている。この種のプレス接合は、特に、磁石ホルダにおいて形成された少なくとも１つのプラスチックピンが、保持装置に設けられた孔に導入され、この孔を貫通案内される形式で製造可能である。これによって保持装置の孔を貫通案内された端部が次いで加熱され、ヘッドを備え付けられる。このヘッドは孔からの滑落を回避するので、保持装置において磁石ホルダは位置固定されるようになる。
【００１２】
さらに本発明は、コリオリ質量流量測定装置であって、励振可能な正確に２つの測定管とケーシングとが設けられており、前記測定管の端部に、１つの管から２つの測定管への移行部材がそれぞれ設けられている形式のものに関する。
【００１３】
コリオリ原理に基づいて作動する質量流量測定装置は、頻繁に互いに平行に延在している２つの測定管を有している。これらの測定管は一般的に逆方向に励振される。このことは、測定装置の運転中に測定装置全体の重点は一定のままである、という利点を有している。このことは、質量流量測定装置が組み込まれている導管路システムとの振動連結を減じる。このことはやはり信号対ノイズ比にとって有利である。従って、２つの測定管を備えたこの種のコリオリ質量流量測定装置は流れを分配する、すなわちコリオリ質量流量測定装置が組み込まれている導管路システムの１つの管から２つの測定管に流れを分配する必要がある。このためにコリオリ質量流量測定装置の両方の端部には、それぞれ移行部材が設けられている。従って、この移行部材は測定管の始端と終端とを定義する。
【００１４】
相当することが、たとえばＵＳ２００４／００４５３６９Ａ１に示されている。この場合、そこで質量流量測定装置が組み込まれている導管路システムから測定管を振動絶縁するために、肉厚壁のケーシングが設けられている。このケーシングは２つの移行部材を互いに結合する。このことは確かにコリオリ質量流量測定装置の良好な振動絶縁、ひいては良好な信号対ノイズ比に繋がるものの、コリオリ質量流量測定装置はこうして極めて重くなる。
【００１５】
従って、本発明の第２の課題は、冒頭で述べたコリオリ質量流量測定装置を改良して、良好な振動絶縁と適切に良好な信号対ノイズ比とでありながら、僅かな重量だけを有するコリオリ質量流量測定装置を提供することである。
【００１６】
上記第２の課題を解決するために本発明の構成では、移行部材が、ケーシングとは別の補強ブリッジによって互いに結合されているようにした。
【００１７】
従って、本発明によればコリオリ質量流量測定装置の振動絶縁のための補強ブリッジの機能と、測定管およびケーシング内に含有されている、コリオリ質量流量測定装置の別のコンポーネントを機械的に保護するためのケーシングの機能とは、互いに分離される。このことは、たとえばプラスチックから成る軽量のケーシングを提供することを可能にし、その一方で補強ブリッジは、必要な振動絶縁が達成されるようにまさに安定的且つ中実に形成される。
【００１８】
この場合、本発明の有利な改良形によれば、測定管は補強ブリッジの完全に外側に配置されていることが提案されている。特に本発明の有利な別の改良形によれば、補強ブリッジはプレート状に形成されていて、この場合、たとえば２つの測定管に対して少なくとも部分的に平行に延在している。
【００１９】
基本的に補強ブリッジは中実な構成部材として、たとえば中実なプレートとして構成されていてよい。しかし本発明の有利なさらに別の改良形によれば、補強ブリッジは中空であることが提案されている。この構成では、補強ブリッジは基本的に管として構成されていてよいものの、本発明の有利なさらに別の改良形によれば、補強ブリッジは方形の横断面を有していて、つまり特に中空プレートとして構成されている。本発明の有利なこの改良形の根底には、中実なプレートは中空プレートと比べてほんの僅かだけ剛性であるものの、明らかにより重いという認識がある。つまりこうしてコリオリ質量流量測定装置の重量を減じることが達成される。
【００２０】
さらに本発明は、コリオリ質量流量測定装置であって、励振可能な正確に２つの測定管が設けられており、該測定管の端部に、１つの管から２つの測定管への移行部材と、導管路システムへの接続のための接続部材とがそれぞれ設けられている形式のものに関する。つまり前記コリオリ質量流量測定装置は、既に述べたように付加的にそれぞれ１つの接続部材とフランジ接続部とを有するコリオリ質量流量測定装置である。
【００２１】
この場合、別体の移行部材と別体の接続部材とを製造して、次いで前記移行部材と前記接続部材とを、コリオリ質量流量測定装置の一方の端部に、たとえば溶接によって接合した、ということが行われてきた。しかしこのことはコリオリ質量流量測定装置を製造するに当たって、比較的手間がかかることである。
【００２２】
従って、本発明の第３の課題は、冒頭で述べたコリオリ質量流量測定装置を改良して、簡単に製造可能であるコリオリ質量流量測定装置を提供することである。
【００２３】
上記第３の課題を解決するために本発明の構成では、移行部材と接続部材とが、それぞれ唯一の共通のワークピースから製造されているようにした。
【００２４】
コリオリ質量流量測定装置であって、励振可能な１つの測定管と、該測定管を取り囲むケーシングと、電子的な測定変換器とが設けられている形式のものに関する。
【００２５】
測定変換器に、コリオリ質量流量測定装置の振動ピックアップによって検知された信号が送信され、その結果、測定変換器によって質量流量信号を検知でき送出できる。この場合にはこれまで実際の測定値ピックアップ、つまり測定管の領域における装置が、実際の測定変換器から分離されているようになって行われていた。すなわち測定変換器は、ピックアップに載置される載着部に頻繁に設けられる。しかしこのことによりコリオリ質量流量測定装置は比較的扱いにくくなる。
【００２６】
従って、本発明の第４の課題は、冒頭で述べたコリオリ質量流量測定装置を改良して、簡単に構成されていて、簡単に取扱い可能であるコリオリ質量流量測定装置を提供することである。
【００２７】
上記第４の課題を解決するために本発明の構成では、電子的な測定変換器が、ケーシングの完全に内側に設けられているようにした。
【００２８】
従って、本発明によれば簡単に搬送できて組み付けることができる極めてコンパクトなコリオリ質量流量測定装置がもたらされる。
【００２９】
さらに本発明は、コリオリ質量流量測定装置であって、励振可能な１つの測定管と、該測定管を取り囲むケーシングと、電子的な測定変換器とが設けられている形式のものに関する。
【００３０】
この種の振動結節プレートは、たとえば前記ＵＳ２００４／００４５３６９Ａ１と、ＵＳ６３０８５８０Ｂ１から公知である。この振動結節プレートは、測定管の効果的な振動長さを定義し、コリオリ質量流量測定装置が組み込まれている導管路システムに測定管の振動の入力結合を回避するためにも働く。当該構成は、特に、測定管の一方の側に単に１つの振動結節プレートが設けられているだけでなく、互いに隣り合った２つの振動結節プレートが設けられているということにより促進される。
【００３１】
しかし、一般的に互いに隣り合った２つの振動結節プレートを測定管の一方の側に設ける場合であっても、依然として測定管の振動成分が導管路システムに入力接続することが目立った。
【００３２】
従って、本発明の第５の課題は、冒頭で述べたコリオリ質量流量測定装置を改良して、導管路システムに対して改良された振動絶縁を有していて、前記導管路システム内にコリオリ質量流量測定装置が組み付けられているコリオリ質量流量測定装置を提供することである。
【００３３】
上記第５の課題を解決するために本発明の構成では、２つの振動結節プレートの平面の間の角度が、測定管の変位が、予め規定された励振力に基づき最小であるように選択されているようにした。
【００３４】
つまり本発明のこの観点によれば、振動結節プレートの２つの平面の間に、測定管の最小の変位が達成されるように最適な角度が設けられているようになっている。前記変位を介して、測定管の振動と、導管路システムの振動との間にすなわち連結が起こり、その結果、これによって改良された振動絶縁が達成される。
【００３５】
この場合、本発明の有利な別の改良形によれば、予め規定された空間方向において測定管の変位は最小であるようになっている。特に、互いに異なる少なくとも２つの空間方向での測定管の変位の関数が最小であることは極めて有利である。
【００３６】
従って、本発明によれば、２つの測定管を互いに結合する互いに隣り合った２つの振動結節プレートを備えた、２つの測定管を有するコリオリ質量流量測定装置の製造方法も提供されていて、当該製造方法は、２つの振動結節プレートの平面の間の角度を、前記測定管の変位が、予め規定された励振力に基づき最小であるように決定することを特徴としている。
【００３７】
有利な態様によれば、当該製造方法に従って、特に、測定管の変位を、有利には有限要素法によって算出するようになっている。前記コリオリ質量流量測定装置の場合のように、有利な態様による製造方法では同様に、予め規定された空間方向での測定管の変位は最小であり、特に極めて有利には、互いに異なる少なくとも２つの空間方向での測定管の変位の関数が最小であることが提案されている。
【００３８】
本発明の請求項１に係るコリオリ質量流量測定装置は、励振可能な１つの測定管、および／または振動発生器、および／または振動ピックアップが設けられており、振動発生器および／または振動ピックアップが、永久磁石を有している形式のものにおいて、永久磁石が、磁石ホルダ内に設けられていることを特徴とする。
【００３９】
本発明に係る前記コリオリ質量流量測定装置は、有利には、永久磁石が、磁石ホルダ内において形状接続式に、および／または摩擦接続式に保持されている。
【００４０】
本発明に係る前記コリオリ質量流量測定装置は、有利には、磁石ホルダが、永久磁石が、全方向で位置固定されているように形成されている。
【００４１】
本発明に係る前記コリオリ質量流量測定装置は、有利には、磁石ホルダが、永久磁石のための収容空間を有しており、該収容空間において永久磁石が、係止部によって保持されている。
【００４２】
本発明に係る前記コリオリ質量流量測定装置は、有利には、磁石ホルダが、フレキシブルな壁を有している。
【００４３】
本発明に係る前記コリオリ質量流量測定装置は、有利には、磁石ホルダが、実質的に中空円柱体として構成されており、該中空円柱体内に永久磁石が挿入されている。
【００４４】
本発明に係る前記コリオリ質量流量測定装置は、有利には、磁石ホルダが、プラスチックから成っている。
【００４５】
本発明に係る前記コリオリ質量流量測定装置は、有利には、振動発生器および／または振動ピックアップが、保持装置を有しており、該保持装置に磁石ホルダが、プレス接合によって接合されている。
【００４６】
本発明の請求項９に係るコリオリ質量流量測定装置は、コリオリ質量流量測定装置であって、励振可能な正確に２つの測定管とケーシングとが設けられており、前記測定管の端部に、１つの管から２つの測定管への移行部材がそれぞれ設けられている形式のものにおいて、前記移行部材が、前記ケーシングとは別の補強ブリッジによって互いに結合されていることを特徴とする。
【００４７】
本発明に係る前記コリオリ質量流量測定装置は、有利には、前記測定管が、補強ブリッジの完全に外側に設けられている。
【００４８】
本発明に係る前記コリオリ質量流量測定装置は、有利には、補強ブリッジが、プレート状に形成されている。
【００４９】
本発明に係る前記コリオリ質量流量測定装置は、有利には、補強ブリッジが中空である。
【００５０】
本発明に係る前記コリオリ質量流量測定装置は、有利には、補強ブリッジが、方形の横断面を有している。
【００５１】
本発明の請求項１４に係るコリオリ質量流量測定装置は、コリオリ質量流量測定装置であって、励振可能な正確に２つの測定管が設けられており、該測定管の端部に、１つの管から２つの測定管への移行部材と、導管路システムへの接続のための接続部材とがそれぞれ設けられている形式のものにおいて、移行部材と接続部材とが、それぞれ唯一の共通のワークピースから製造されていることを特徴とする。
【００５２】
本発明の請求項１５に係るコリオリ質量流量測定装置は、コリオリ質量流量測定装置であって、励振可能な１つの測定管と、該測定管を取り囲むケーシングと、電子的な測定変換器とが設けられている形式のものにおいて、電子的な測定変換器が、ケーシングの完全に内側に設けられていることを特徴とする。
【００５３】
本発明の請求項１６に係るコリオリ質量流量測定装置は、コリオリ質量流量測定装置であって、２つの測定管が設けられており、該測定管の一方の端部に互いに隣り合った２つの振動結節プレートが設けられており、該振動結節プレートが、２つの測定管を互いに結合している形式のものにおいて、２つの振動結節プレートの平面の間の角度が、測定管の変位が、予め規定された励振力に基づき最小であるように規定されていることを特徴とする。
【００５４】
本発明に係る前記コリオリ質量流量測定装置は、有利には、前記測定管の変位が、予め規定された空間方向で最小である。
【００５５】
本発明に係る前記コリオリ質量流量測定装置は、有利には、前記測定管の変位の関数が、互いに異なる少なくとも２つの空間方向で最小である。
【００５６】
本発明の請求項１９に係る製造方法は、２つの測定管を有するコリオリ質量流量測定装置のための製造方法であって、前記測定管の一方の端部に互いに隣り合った２つの振動結節プレートが設けられており、該振動結節プレートが、２つの測定管を互いに結合する方法において、２つの振動結節プレートの平面の間の角度を、前記測定管の変位が、予め規定された励振力に基づき最小であるように決定することを特徴とする。
【００５７】
本発明に係る製造方法は、有利には、前記測定管の変位が、予め規定された空間方向で最小である。
【００５８】
本発明に係る製造方法は、有利には、前記測定管の変位の関数が、互いに異なる少なくとも２つの空間方向で最小である。
【００５９】
本発明に係る製造方法は、有利には、前記測定管の変位を、好ましくは有限要素法によって算出する。
【発明を実施するための最良の形態】
【００６０】
本発明を実施するための最良の形態を図面につき詳しく説明する。
【００６１】
図１から、本発明の有利な構成によるコリオリ質量流量測定装置が明らかになっている。このコリオリ質量流量測定装置は、励振可能な２本の測定管１と、振動発生器２と、２つの振動ピックアップ３とを有している。２つの測定管１は、コリオリ質量流量測定装置のケーシング４の内側で互いに平行に延在していて、しかも全体的に実質的にＵ字形の経過をもって延在している。測定管１の端部には、それぞれ１つの移行・接続部材５が設けられている。この移行・接続部材５は、一方ではコリオリ質量流量測定装置が組み込まれている導管路システムへの接続をすなわちフランジ接続部６によって保証していて、他方では導管路システムの１つの管から２つの測定管１への移行を保証しており、したがってつまりフロースプリッタとして機能する。この場合、移行・接続部材５が、それぞれ唯一の共通のワークピースから製造されていることが重要である。
【００６２】
測定管１の端部には、それぞれ互いに隣り合った２つの振動結節プレート７，８が設けられている。この場合、外側の振動結節プレート８として横断面で方形の装置が設けられていて、その一方で前記振動結節プレート８に隣り合った、各移行・接続部材６からより遠くに隔離された振動結節プレート７は、Ｕ字異形を有している。このＵ字異形は、互いに向かい合い且つ互いに離れる測定管１の所望の振動を、この所望の振動に対して垂直な一平面での不都合な振動から周波数に関して良好に分離するために働く。
【００６３】
外側の振動結節プレート７と内側の振動結節プレート８との間には、特に図２からも明らかなように、予め規定された角度αが設けられている。この角度αは、図３において符号Ｆｄで示された、測定管１の予め規定された励振に基づき、図３において符号ＦｚおよびＭｘ，Ｍｙで示された、測定管１の最小の変位が達成されるように寸法設定されている。測定管１の側方の変位Ｆｚとねじり運動Ｍｙ，Ｍｘとは、つまり最小にされている。
【００６４】
振動結節プレート７，８の間の角度αを決定するために有限要素法が使用される。この有限要素法の枠内で、振動結節プレート７，８の間の種々異なる角度αにおいて、測定管１の各変位がどの程度発生するかが算出される。その結果が図４に示されている。この場合、２つの矢印の間に最適の角度αの範囲がもたらされることが示されている。角度αにおいて変位は最小である。
【００６５】
２つの移行・接続部材５の間に、本発明の有利な構成による当該コリオリ質量流量測定装置の場合には補強ブリッジ９が設けられている。この補強ブリッジ９は、コリオリ質量流量測定装置の振動絶縁のために働く。この場合、補強ブリッジ９はコリオリ質量流量測定装置のケーシング４とは別であって、その結果、ケーシング４は比較的軽量に構成することができ、その一方で補強ブリッジ９は、振動絶縁の要求に正確に添うように剛性且つ中実に製造される。こうして極めて軽量に構成されたコリオリ質量流量測定装置が達成される。さらにこのことは、補強ブリッジ９が中空プレートとして形成されていることにより促進される。この中空プレートは、ほぼ同じ剛性と、それに相当して中実なプレートとを有していながらも、実質的により軽量である。
【００６６】
ケーシング４の内側に、コリオリ質量流量測定装置の電子的な測定変換器１０が設けられている。この場合、しかも実際にはケーシング４の内側に完全な測定変換器１０が配置されているので、測定変換器１０のどんなコンポーネントもケーシング４の外側には必要ではない。測定変換器１０の電気的な接続は、電気的なブッシュ１１を介して行われる。このブッシュ１１は補強ブリッジ９を貫通案内されていて、その他の点では補強ブリッジ９自体は測定変換器１０全体をも支持している。
【００６７】
最後に図５には、振動発生器２と振動ピックアップ３とが、どのように構成されているかが、すなわち特にそのために設けられた永久磁石１２に関連して詳細に示されてもいる。この永久磁石１２は、公知の形式ではコイル（図示せず）と協働する。これによって測定管１の励振が達成されるか、もしくは測定管１の振動が検知される。ここでは永久磁石１２のために磁石ホルダ１３が設けられている。この磁石ホルダ１３内に永久磁石１２が挿入されている。そのために磁石ホルダ１３は実質的に中空円柱体として形成されている。この場合、中空円柱体の壁１４は切込み１５を有しているので、壁１４はフレキシブルである。壁１４の上側の端部には、係止突出部１６が設けられているので、磁石ホルダ１３内に挿入された永久磁石１２は、磁石ホルダ１３において係止部によって保持される。本発明に記載の有利な当該実施例によれば、シリンダ形の永久磁石１２は、同様にシリンダ形の金属ピン１７と共に使用される。永久磁石１２と金属ピン１７とは、図５から判るように、磁石ホルダ１３内に挿入される。
【００６８】
磁石ホルダ１３自体は、プラスチック材料から製造されていて、磁石ホルダ１３の底部２０にピン１８を有している。このピン１８によって磁石ホルダ１３は振動発生器２もしくは振動ピックアップ３の保持装置１９に固定することができる。この固定はプレス接合によって行われる。そのために、磁石ホルダ１３に形成されたプラスチックピン１８は、保持装置１９に設けられた孔２１内に導入され、これらの孔２１を貫通案内されていて、これによって保持装置１９の孔２１を貫通案内された端部は、次いで加熱されヘッドを備え付けられる。このヘッドは孔２１からの滑落を防ぐので、保持装置１９において磁石ホルダ１３は位置固定される。この装置を機械的に保護するために、その他の点では保護ボディ２２が設けられている。この保護ボディ２２は磁石ホルダ１３と保持装置１９との間に置かれる。
【図面の簡単な説明】
【００６９】
【図１】本発明の有利な構成によるコリオリ質量流量測定装置を部分的に断面した斜視図である。
【図２】本発明の有利な構成によるコリオリ質量流量測定装置の測定管の端部領域を断面して示した図である。
【図３】本発明の有利な構成によるコリオリ質量流量測定装置の測定管の、予め規定された励起力に基づいた変位を概略的に示した図である。
【図４】本発明の有利な構成によるコリオリ質量流量測定装置の測定管の互いに隣り合った振動結節プレートの間の最適な角度を見つけるための図である。
【図５】本発明の有利な構成によるコリオリ質量流量測定装置の振動発生器の一部分の斜視図である。
【符号の説明】
【００７０】
１  測定管、  ２  振動発生器、  ３  振動ピックアップ、  ４  ケーシング、  ５  移行・接続部材、  ６  フランジ接続部、  ７，８  振動結節プレート、  ９  補強ブリッジ、  １０  測定変換器、  １１  電気的なブッシュ、  １２  永久磁石、  １３  磁石ホルダ、  １４  壁、  １５  切込み、  １６  係止突出部、  １７  金属ピン、  １８  プラスチックピン、  １９  保持装置、  ２０  底部、  ２１  孔、  ２２  保護ボディ、  α  角度、  Ｆｄ  起振量、  Ｆｚ，Ｍｘ，Ｍｙ  測定管１の最小の変位
【図１】
2008275613.tif 000003
【図２】
2008275613.tif 000004
【図３】
2008275613.tif 000005
【図４】
2008275613.tif 000006
【図５】
2008275613.tif 000007